(57)【特許請求の範囲】
【請求項１】
投光手段から光をパルス投光し、その反射光を受光手段で受光して使用者である人体の有無を検出し給水制御を行う水栓制御装置と、
該水栓制御装置に対して光信号を出力し、該水栓制御装置の動作モードの変更等を行うリモコンからなる水栓制御システムにおいて、
前記水栓制御装置は、前記受光手段の出力を増幅した第１の信号を出力する増幅手段と、
前記第１の信号を受けてその極性を反転させた第２の信号を出力する反転手段と、
前記第１または第２の信号を積分する積分手段と、
前記投光手段及び積分手段を制御し、前記積分手段出力に応じて人体の有無、或いは前記リモコンの光信号の入力を判定する制御手段を備え、
該制御手段は、前記パルス投光の投光開始に同期して第１の信号を所定時間積分し、その投光終了に同期して第２の信号を前記所定時間と同一時間積分した後の前記積分手段の出力が予め設定した第１の閾値レベルに達したときに人体を感知したと判定するものであり、
前記リモコンは、前記水栓制御装置の前記投光手段のパルス投光を受光し、該受光した信号の位相を逆転させて光出力する機能を備え、前記水栓制御装置の前記投光手段及び前記受光手段と対向して前記リモコンを操作させた場合、前記制御手段は、前記積分手段の出力が前記第１の閾値レベルに対して逆の電圧極性の第２の閾値レベルに達したときに前記リモコンの光信号入力であると判定することを特徴とする水栓制御システム。
【請求項２】
請求項１に記載の水栓制御システムにおいて、
前記リモコンは、
前記投光手段のパルス投光を受光し、該受光した信号を前記パルス投光開始に同期した所定時間だけ遅延させて光出力することにより、前記受光した信号の位相を逆転させて光出力することを特徴とする水栓制御システム。
【請求項３】
請求項１に記載の水栓制御システムにおいて、
前記リモコンは、
前記投光手段のパルス投光を受光し、該受光した信号がなくなるとこれと同期してパルス光を出力することにより、前記受光した信号の位相を逆転させて光出力することを特徴とする水栓制御システム。
【発明の詳細な説明】
【技術分野】
【０００１】
本発明は、例えばトイレにおいて、水栓や便器の使用者を検出して自動的に吐水や洗浄等の制御を行う水栓制御装置と、その動作モードを水栓や便器の掃除等に適した特殊な動作モードに変更するリモコンからなる水栓制御システムに関する。
【背景技術】
【０００２】
水栓に手を差し出すと自動的に吐水する自動水栓や、便器の使用後に自動的に洗浄水を流す便器自動洗浄装置など、人体を検出して吐水や洗浄を自動的に行う水栓装置は、その利便性や衛生性から広く普及している。
【０００３】
これらの水栓装置の使用者である人体を検出する手段として、焦電センサや超音波センサなども使用可能であるが、人体の有無を確実に捉える性能に優れ、小型で防水構造にも適しているという理由により、赤外線を用いたアクティブ型の光電センサが多く使用されている。
【０００４】
また、トイレに使用される水栓制御装置では、トイレという環境の特殊性から、ＡＣ電源の配線工事を必要としない電池駆動（または洗浄水を利用した水力発電）のものが必要になる場合がある。このような場合、水栓制御装置が低消費電力で動作することが重要であり、特にセンサ部分の低消費化が必須となる。赤外線を用いたアクティブ型の光電センサは、低消費電力という面でも一般に優れている。
【０００５】
この種の光電センサは、赤外線を検出領域に対してパルス投光を行い、その反射光を検出して、検出対象物の有無を判定する。ここでパルス投光を行うのは、検出領域に存在する環境光である蛍光灯などの照明や太陽光に含まれる赤外線の成分、すなわち、光電センサにとってのノイズを除去するためである。また、パルス投光は低消費化にもつながる。
【０００６】
パルス投光によりノイズを除去する方法として、同期積分という方法がある。
同期積分は、パルス投光のタイミングに同期して受光信号を積分するものである。また、投光するタイミングで受光信号を積分し、投光しないタイミングでは極性（プラス・マイナス）を逆転させた受光信号を積分する（反転積分する）と、更にノイズ除去効果が高まる。
【０００７】
このパルス投光とその積分動作を複数回、繰り返し行うことにより、信号である反射光の積分値は増え、ノイズの積分値は逆に減っていく。つまり、パルス投光とそれに同期した積分を複数回行えば、その繰り返し回数に比例してＳ／Ｎが向上する。
【０００８】
また、このような自動水栓や便器自動洗浄装置など、センサの感知状態に応じて吐水、洗浄する装置の場合、水栓や便器の掃除をする際に、センサが掃除をする人を感知してしまい、掃除をする人にとっては不本意に水が流れ、掃除がしにくいという問題がある。
【０００９】
そこで、センサ部に磁石に反応するリードスイッチを内蔵し、掃除をする人がセンサに磁石を近づけることでセンサによる洗浄を一時的に停止する等の特殊なモードに切り替えるものがある。
【００１０】
また、磁石以外では、設定手段として赤外リモコンを使い、受光素子はセンサのものを共用し、人体検出とリモコンの発光パターンを変えて区別する考案もある（例えば特許文献１参照）。
【００１１】
赤外リモコンの場合、磁石に比較して伝達できる情報量が多いため、前述の掃除モードの設定以外にも、水栓装置のパラメータの調整や動作条件変更などの特殊な動作モードの設定、あるいは解除といった操作にも利用することができる。
【００１２】
但し、磁石であっても、赤外リモコンであっても、一般の使用者のいたずら等で特殊な動作モードに入ることが無いよう、その設定手段は通常はトイレに持ち込まないようなものでなければならない。
【００１３】
【特許文献１】特開平６−３０８２５５  物体検知方法
【発明の開示】
【発明が解決しようとする課題】
【００１４】
しかし、特殊モードの設定手段として磁石を用いる方式では、センサ部にリードスイッチを収納し、センサ前面には磁石が反応するだけの開口スペースが必要となり、センサが大型化する。センサが大型化すれば、どのような製品であってもデザイン性に劣ることにつながる。特に、自動水栓のようにセンサ面のサイズの小型化が重要な製品では、リードスイッチの収納は困難である。また、設定手段が磁石であるため、誰でも比較的入手し易く、いたずらされる恐れがある。
【００１５】
特殊モードの設定手段として赤外リモコンを使い、受光素子はセンサのものを共用する方法（特許文献１）では、センサの受光処理とリモコンの受光処理を別々に行う必要があり、センサ処理が複雑化し消費電力が増大する。また、リモコン専用の受信回路を設ければ、センサ部のサイズの大型化や消費電力の増大という問題が生じる。
【００１６】
前述の特許文献１の方式では、人体検出は連続光を発光し、リモコンは複数回点滅する断続光として判別を行っている。しかし、連続か断続かを判別するには、連続であれば連続しているという状態を、断続であれば、連続、休止、連続と繰り返す状態を認識しなければならず、その判断が終わるまでに長時間を要する。その間、受光回路や判断処理を行うマイコン等の消費が継続するため、低消費化が難しい。
【００１７】
このように、特殊なモードを設定・解除する手段として、センサの大型化を伴わず、低消費で、いたずらされにくい方法がなかった。
【００１８】
ここに、本発明は上記問題を解決するためになされたもので、水栓制御装置とリモコンの組み合わせにより、水栓制御装置の通常動作と特殊モードの設定も含めて、センサ部分の小型化と低消費化が可能な水栓制御システムを提供することを目的とする。
【課題を解決するための手段】
【００１９】
投光手段から光をパルス投光し、その反射光を受光手段で受光して使用者である人体の有無を検出し給水制御を行う水栓制御装置と、
該水栓制御装置に対して光信号を出力し、該水栓制御装置の動作モードの変更等を行うリモコンからなる水栓制御システムにおいて、
前記水栓制御装置は、前記受光手段の出力を増幅した第１の信号を出力する増幅手段と、
前記第１の信号を受けてその極性を反転させた第２の信号を出力する反転手段と、
前記第１または第２の信号を積分する積分手段と、
前記投光手段及び積分手段を制御し、前記積分手段出力に応じて人体の有無、或いは前記リモコンの光信号の入力を判定する制御手段を備え、
該制御手段は、前記パルス投光の投光開始に同期して第１の信号を所定時間積分し、その投光終了に同期して第２の信号を前記所定時間と同一時間積分した後の
前記積分手段の出力が予め設定した第１の閾値レベルに達したときに人体を感知したと判定するものであり、
前記リモコンは、前記水栓制御装置の前記投光手段のパルス投光を受光し、該受光した信号の位相を逆転させて光出力する機能を備え、前記水栓制御装置の前記投光手段及び前記受光手段と対向して前記リモコンを操作させた場合、前記制御手段は、前記積分手段の出力が前記第１の閾値レベルに対して逆の電圧極性の第２の閾値レベルに達したときに前記リモコンの光信号入力であると判定するようにしたので、
水栓制御装置は、人体の検出とリモコン信号の検出を完全に同時に処理することができる。
【００２０】
請求項２記載の発明は、請求項１に記載の水栓制御システムにおいて、前記リモコンは、前記投光手段のパルス投光を受光し、該受光した信号を前記パルス投光開始に同期した所定時間だけ遅延させて光出力することにより、前記受光した信号の位相を逆転させて光出力するので、リモコンは、正確な逆位相の光を水栓制御装置に返すことができる。
【００２１】
請求項３記載の発明は、請求項１に記載の水栓制御システムにおいて、前記リモコンは、前記投光手段のパルス投光を受光し、該受光した信号がなくなるとこれと同期してパルス光を出力することにより、前記受光した信号の位相を逆転させて光出力するので、リモコンは、水栓制御装置側の投光時間や積分時間が個体差や設計変更等でさまざまな値をとっても、パルス投光と逆位相の信号光を出力できる。
【発明の効果】
【００２２】
本発明によれば、
人体検出時の信号処理とリモコン信号の検出処理は、全く同一の回路で同一の動作により実行される。例えば、受光した信号の特徴から、受光処理の途中で動作を切り替えるというような処理が不要であり、人体検出のみを行う回路に比較して、回路の複雑化、処理時間の延長、消費の増大という事が無い。
【００２３】
また、同期積分により人体検出時に外乱ノイズを低減することができるが、リモコン信号の検出においても同期積分の同様の効果が得られる。よって、水栓制御装置の投光パルスに同期しない外乱ノイズをリモコン信号と誤って検出することがなく、安定した動作が得られる。
【００２４】
また同期積分は、低減するだけでなく検出感度を増大させるので、リモコン側の光出力（投光電流）を抑えることができる。更に、人体検出光とリモコン光は、位相を逆転させるだけなので、リモコンの投光時間は人体検出の投光時間と同一でよい。よってリモコン側も低消費となり、例えばリモコンを電池で駆動する場合に有利である。
【発明を実施するための最良の形態】
【００２５】
以下に、本発明の実施形態について図面を参照しながら説明する。
図３は、本発明の実施形である、アクティブ型の光電センサの方式の人体検出装置を有する水栓制御装置の回路図であり、図５及び図６はその動作タイミングチャートである。
【００２６】
図３において、１は光電センサの出力信号である赤外光を投光する投光素子、２は対象物から反射した赤外光を受光する受光素子である。
２２は図３の光電センサを含む水栓制御装置の回路を制御する制御手段であり、光電センサの検出結果（検出対象である使用者の有無）に応じて電磁弁駆動手段２３を駆動して、水栓の自動吐水や便器の自動洗浄を行う。
【００２７】
トランジスタ３と抵抗４とＯＰアンプ５は、投光素子３に所定の電流を流す定電流回路である。６はアナログスイッチであり、制御手段２２から出力される電圧（定電流回路の基準電圧となる電圧で、例えば、制御手段からＤ／Ａ変換により出力される）を、同じく制御手段２２から出力されるタイミング信号Ｓ２により、ＯＰアンプ５へ伝達する。これにより、前記定電流回路が動作し、信号Ｓ２に同期して投光素子１がパルス投光する投光手段が形成されている。
【００２８】
抵抗７とＯＰアンプ８は受光手段を構成し、受光素子２が、その受光量に比例して発生する光電流を電圧に変換する。この電圧のＡＣ成分はコンデンサ９を介して抵抗１０、１１及びＯＰアンプ１２からなる増幅手段に入力され、増幅される。増幅手段の出力は、抵抗１３、１４及びＯＰアンプ１５からなる反転手段に入力される。反転手段では、信号振幅は等しく、その極性が反転する。
【００２９】
更に、増幅手段の出力はアナログスイッチ１６を介して、また、反転手段の出力はアナログスイッチ１７を介して積分手段に入力される。なお、アナログスイッチ１６及び１７はそれぞれ、制御手段２２から出力されるタイミング信号Ｓ２及びＳ３により、オン／オフされる。
積分手段は、抵抗１８とコンデンサ１９、ＯＰアンプ２０により構成される。また２１は、制御手段２２が出力するタイミング信号Ｓ１によりオン／オフするアナログスイッチであり、コンデンサ１９の放電（積分手段のリセット）を行う。
【００３０】
制御手段２２により信号Ｓ１乃至Ｓ３を制御し、投光のタイミングと積分のタイミングを同期させることにより効果的な信号の積分とノイズ除去を行うことができる。従来から知られているこの動作を図６のタイミングチャートを用いて説明する。
【００３１】
まずパルス投光を行う前に、図６のＴ０のタイミングから所定時間、信号Ｓ１によってアナログスイッチ２１をオンし、コンデンサ１９を放電、すなわち積分手段をリセットする。この状態の積分手段の出力電圧（ＯＰアンプ２０の出力）が基準（反射信号のゼロ位置）となる。
【００３２】
Ｔ１のタイミングで信号Ｓ２がオン出力されアナログスイッチ６がオンして、投光素子１が投光する。これと同時にアナログスイッチ１６がオンし、投光素子１の投光に同期して、反射光に比例した信号である増幅手段出力を積分手段で積分する。
【００３３】
Ｔ２のタイミングで信号Ｓ２がオフし、信号Ｓ３がオンしてアナログスイッチ１７がオンする。ここでは、投光素子１が投光していない状態の受信信号を、反転手段によって極性を反転させて積分手段で積分する。Ｔ３のタイミングでは、信号Ｓ３がオフ、信号Ｓ２がオンして、Ｔ１〜Ｔ３のタイミングの動作を繰り返す。なお、Ｔ１〜Ｔ２とＴ２〜Ｔ３の時間間隔は、同じ時間である。こうして、図６のＴ９のタイミングまで、同一の動作を４回繰り返す。
【００３４】
投光素子１の投光に同期して増幅手段出力を積分することにより、積分手段出力は、投光回数に比例した信号量を出力する。図３の回路の場合、検出対象からの反射光、すなわち投光パルスに同期した信号は、積分手段出力が上昇する側に積分される。
【００３５】
なお、これは図３の構成でそうなるのであって、例えば受光素子２の取り付け極性、増幅手段の構成（反転型か非反転型か）や増幅段数によっては積分手段出力が下降する側に積分される場合もある。信号が、上昇と下降のどちら方向に積分されるかは本質的な問題ではない。
【００３６】
また、増幅手段出力と反転手段出力を同時間、同回数積分することにより、投光に同期しない成分、つまり光電センサの動作環境にあるノイズを打ち消すことができる。こうして、投光と積分動作を繰り返すことで、反射信号量（積分手段出力）は大きくなり、ノイズ成分は小さくなって光電センサのＳ／Ｎ比が向上する。以上は良く知られた同期積分の動作である。
【００３７】
次に、本発明の水栓制御装置を特殊なモードに設定するためのリモコンの回路図を図１に示す。
【００３８】
図１において、５１は受光素子、５２は投光素子である。抵抗５３とＯＰアンプ５４は受光手段を構成し、受光素子５１が、その受光量に比例して発生する光電流を電圧に変換する。この電圧はコンパレータ５７の（＋）入力端子に入力される。また、この電圧は抵抗５５、５６の分圧によって、コンパレータ５７のもう一方の（−）入力端子に対して、若干低い電位に設定されている。よってコンパレータ５７は、受光素子５１が信号光を受光すると、それに応じてロジックレベルのＨｉパルスを出力する。
【００３９】
コンパレータ５７の出力は遅延手段５８により所定時間だけタイミングを遅らされて、抵抗５９、トランジスタ６０と投光素子５２からなる投光回路に入力される。
こうして、受光素子５１が受光した光は、遅延手段５８に設定された所定時間だけ遅れて投光素子５２から投光される。つまり、所定時間だけ遅らせて反射するような動作となる。
【００４０】
なお、この遅延を行う所定時間とは、水栓制御装置の投光素子１の１回の投光時間に等しい値とする。これは、図６ではＴ１〜Ｔ２の時間である。つまり、特殊モードの設定を行う水栓制御装置の投光時間に合わせて、リモコン側の遅延手段５８の遅延時間を設定すれば良い。
【００４１】
図１のリモコンによって図３の水栓制御装置を特殊なモードに設定する場合、双方を図４のように組み合わせて使用する。図４は、その際の、図１の投光素子１、受光素子２と、図３の受光素子５１、投光素子５２の物理的な位置関係を示す図である。
【００４２】
図４において、１０１は水栓制御装置側の投受光素子を遮光する遮光部材（投受光素子の固定を兼ねる）、１０２はそれを収める防水のケースである。また、１０４はリモコン側の投受光素子を遮光する遮光部材（投受光素子の固定を兼ねる）である。リモコン側にも防水のケースを被せても良いが、ここでは省略する。
【００４３】
双方の投受光素子は、投光と受光がそれぞれ向き合う位置関係となるよう、それぞれの投受光素子の間隔を同じとしている。１０３のようなクッション材を挟んで向かい合わせると、不要な光の漏れが発生しにくく、より好ましい。
【００４４】
図３の水栓制御装置を特殊なモードに設定する場合の動作を、図５のタイミングチャートを用いて説明する。但し、図３の回路動作は図６と同じで、制御手段２２が出力する図５の信号Ｓ１、Ｓ２、Ｓ３は図６の場合と全く同じである。よって、図５と図６のタイミングＴ０〜Ｔ９は対応する。
【００４５】
図５のＴ１〜Ｔ２のタイミングで投光素子１がパルス光を出力するが、図４のような状態となっているため、受光素子２に反射光は返ってこない。よって、図５の受光手段出力にはＴ１〜Ｔ２のタイミングで信号は現れない。
【００４６】
このＴ１〜Ｔ２のタイミングでは、図１の受光素子５１が図３の投光素子１の出力を受光する。これがコンパレータ５７でロジックレベルに変換され、遅延手段５８で遅延される。この遅延時間を、Ｔ１〜Ｔ２の時間と同一に設定しておく。
【００４７】
図５のＴ２のタイミングになると、遅延手段５８で遅延された信号が投光素子５２に出力される。こうして、Ｔ２〜Ｔ３のタイミングにリモコン側（投光素子５２）の出力が現れ、それが図１の受光素子２に入力される。以降の動作は図６と同じで、同様の事が４回繰り返される。
【００４８】
こうして、投光素子１が投光していないタイミングで受光素子２にパルス光が入力される。これは、投光タイミングに対して、その積分タイミングの位相（積分と反転積分）が逆転した状態であり、図５のように、積分手段出力は、図６とは逆の下降方向に変化する。
【００４９】
このように、積分手段出力が、検出対象からの反射光を受光した場合と極性が逆方向に変化するという事は、言い換えれば、マイナスの反射光を受光した状態である。つまり、水栓制御装置の光電センサから見ると、対象に向けて赤外光を投光すると、その反射光が逆に減少してしまう状態であり、通常はあり得ない。また、同期積分によってノイズは抑制されるので、ノイズ等で簡単に積分手段出力が変化することもない。
【００５０】
これは、図１のようなリモコンの回路を使用しない限り起きない状態であり、積分手段出力に通常の人体検出時とは逆方向の電圧が現れるという条件は、専用のリモコンを用いて特殊モードが設定されたと判断するに十分なものである。
【００５１】
このように、水栓制御装置側には何ら特別な回路や動作状態の変更、消費の増大を必要とせず、リモコンによる特殊モードの設定が可能となる。
【００５２】
図２にリモコンの他の実施例の回路図を示す。図２の回路は、図１の遅延手段５８の部分が異なる。図２では、コンパレータ５７の出力がワンショットパルス回路（ワンショット・マルチ・バイブレータ）６１に入力される。これ以外は図１と同じである。
【００５３】
６１は入力の立ち下がりパルスをトリガにして、一定幅のパルスを１発出力するワンショットパルス回路である。図２の回路では、図１と同様に、受光素子５１が水栓制御装置の投光素子１から出力を受光すると、それに応じてコンパレータ５７がロジックレベルのＨｉパルスを出力する。つまり、受光素子５１が受光しなくなると、コンパレータ５７がＬｏパルスを出力し、これがワンショットパルス回路６１のトリガ入力になる。
【００５４】
よって、水栓制御装置の投光素子１の投光が終了すると、リモコンの投光素子５２が光出力する。ワンショットパルス回路６１が出力するパルス幅は、厳密に設定する必要はなく、水栓制御装置の投光手段のパルス投光と同じか、若干短い時間に設定しておけば良い。図２の回路では、水栓制御装置が出力するパルス投光の周波数が多少変化しても対応できるという長所がある。
【００５５】
なお、本実施例では１回の人体検出のパルス投光数を４回としているが、これは多くても少なくても良い。パルス投光数が１回であっても、図１または図２の回路により人体検出の投光と逆位相のパルスを出力することができ、リモコンによって特殊モードを設定することは可能である。
【００５６】
また、図４で水栓制御装置とリモコンを向かい合わせに密着させて使用するようになっているが、からなずしも密着させる必要はない。つまり、図３の受光素子２が受光する光の成分において、図３の投光素子１の反射光より、図１または図２の投光素子５２の出力光が大きくなるようにすれば良い。
図４のように密着させなくても、例えば「リモコン本体を黒く塗る」「リモコンを小さく作る」「リモコンの投光パワーを上げる」等の対策で、本発明の動作が可能である。
【００５７】
図７は、水栓制御装置のトイレにおける使用例である。図７のように、男性の小便器の洗浄水の給水管と洗浄管の間に便器自動洗浄装置が取り付けられている。この中に水栓制御装置が含まれる。
便器自動洗浄装置は、使用者に向かって赤外光を投光し、その反射光を受光して使用者の有無を判断し、自動的に洗浄水を流し小便器を洗浄する。
【００５８】
図８は便器自動洗浄装置の内部構造例である。カバー内に、水栓制御装置、電磁弁、電源となる電池などが入っている。便器自動洗浄装置のタイプによっては、電磁弁が水栓制御装置と別に設置される事もあり、電源はＡＣ電源で動作するものもある。また、これらが小便器に内蔵されて、便器と一体構造となる場合もある。なお、水栓制御装置は人体検知装置や電磁弁の制御機能を有するが、図８のように、人体検知装置の投光及び受光素子とともに、電気回路として一体に構成される場合が多い。
【００５９】
水栓制御装置は、例えば、使用者が小便器の前に来た時に前洗浄（事前に便器を濡らし、汚れの付着や小便の飛びはねを防止する）を行ったり、使用者が立ち去った後に本洗浄（便器の洗浄および小便の排出）を行う。
よって、図７のように、小便器の前に来た人が用足しの使用者であれば問題ないが、小便器を掃除する人が来た場合、掃除の作業で小便器の前を通ったり、小便器から離れたりすることで、便器洗浄が行われてしまう。洗浄水が無駄になるだけでなく、例えば便器の洗剤が流れてしまうなど、清掃作業の障害となる。
【００６０】
そこで、図９のようなリモコン（図１または図２の回路が内蔵されたもの）を掃除の作業者に持たせ、図８の赤外光の投光・受光の部分に対向させて図５の動作を行えば、水栓制御装置に対して、通常動作モードと異なる特殊なモードを設定できる。
この場合は「掃除をするので一時的に自動洗浄を禁止する」「掃除が終わったので、一定量の水を流す」などの動作に切り替え、効率的な清掃作業ができる。
【図面の簡単な説明】
【００６１】
【図１】本発明の実施形であるリモコンの回路図である。
【図２】本発明の第２の実施形であるリモコンの回路図である。
【図３】本発明の実施形である水栓制御装置の回路図である。
【図４】本発明の実施形である水栓制御装置とリモコンを組み合わせて使用する際の位置関係を示す断面図である。
【図５】本発明の実施形である特殊モード設定を行う際の動作を示すタイミングチャートである。
【図６】センサの検出動作を行う際の動作を示すタイミングチャートである。
【図７】男性用小便器に水栓制御装置を使用した例である。
【図８】便器自動洗浄装置の内部構造例である。
【図９】本発明のリモコンの外観例である。
【符号の説明】
【００６２】
１    水栓制御装置の投光素子
２    水栓制御装置の受光素子
５    水栓制御装置の投光手段のＯＰアンプ
６    投光をオン・オフするアナログスイッチ
８    水栓制御装置の受光手段のＯＰアンプ
１２  増幅手段のＯＰアンプ
１５  反転手段のＯＰアンプ
１６  増幅手段出力を積分する際にオンするアナログスイッチ
１７  反転手段出力を積分する際にオンするアナログスイッチ
１８  積分手段の抵抗
１９  積分手段のコンデンサ
２０  積分手段のＯＰアンプ
２１  積分手段をリセットするアナログスイッチ
２２  水栓制御装置の制御手段
２３  電磁弁駆動手段
５１  リモコンの受光素子
５２  リモコンの投光素子
５４  リモコンの受光手段のＯＰアンプ
５７  コンパレータ
５８  遅延手段
６１  ワンショットパルス回路
１０１  水栓制御装置の投受光素子の遮光部材
１０４  リモコンの投受光素子の遮光部材
【図１】
0004543433.tif 000002
【図２】
0004543433.tif 000003
【図３】
0004543433.tif 000004
【図４】
0004543433.tif 000005
【図５】
0004543433.tif 000006
【図６】
0004543433.tif 000007
【図７】
0004543433.tif 000008
【図８】
0004543433.tif 000009
【図９】
0004543433.tif 000010